(57)【特許請求の範囲】
【請求項１】
外部から音声を入力するための音声入力部と、
外部から情報を入力するための入力インターフェースを含み、前記入力インターフェースから入力された情報をデジタル情報に変換するデジタル情報入力部と、
前記デジタル情報入力部により変換されたデジタル情報に対し、音響すかし技術に基づくエンコード処理を行い、前記エンコード処理後のデジタル情報を、前記音声入力部から入力された音声の音声信号に重畳するエンコーダと、
前記エンコーダにより前記デジタル情報が重畳された音声信号を、通信用信号へ変換する音声コーデック部と、
前記音声コーデック部により変換された通信用信号を外部へ送信する通信部と、
を備え、
前記エンコーダは、新たな情報が入力されていない場合、直前に重畳したデジタル情報を重畳する処理装置。
【請求項２】
デジタル情報が重畳された音声信号を変換することで得られた通信用信号を、請求項１に記載の処理装置から受信する通信部と、
前記通信部により受信された通信用信号を逆変換することで、前記デジタル情報が重畳された音声信号を得る音声コーデック部と、
前記音声コーデック部により得られた、前記デジタル情報が重畳された音声信号に対し、音響すかし技術に基づくデコード処理を行うことで、前記音声信号から前記デジタル情報を分離するデコーダと、
前記デコーダにより分離されたデジタル情報を外部へ出力するデジタル情報出力部と、
前記音声コーデック部により得られた前記音声信号に基づき音声出力を行う音声出力部と、
を備え、
前記デジタル情報出力部は、前記デコーダにより分離されたデジタル情報が、直近に出力したデジタル情報と異なる場合に、前記デコーダにより分離されたデジタル情報を出力する処理装置。
【請求項３】
前記音響すかし技術として、音響ＯＦＤＭを用いることを特徴とする請求項１又は２に記載の処理装置。
【請求項４】
処理装置により実行される、音声と情報を同時に送信するための処理制御方法であって、
外部から音声を入力するとともに外部から情報を入力し、入力された情報をデジタル情報に変換する入力・変換ステップと、
前記変換されたデジタル情報に対し、音響すかし技術に基づくエンコード処理を行い、
前記エンコード処理後のデジタル情報を前記入力された音声の音声信号に重畳する重畳ステップと、
前記デジタル情報が重畳された音声信号を通信用信号へ変換するコーデック変換ステップと、
前記変換された通信用信号を外部へ送信する送信ステップと、
を備え、
前記重畳ステップでは、新たな情報が入力されていない場合、直前に重畳したデジタル情報を重畳する処理制御方法。
【請求項５】
処理装置により実行される、デジタル情報が重畳された音声信号から前記デジタル情報および前記音声信号を出力するための処理制御方法であって、
前記デジタル情報が重畳された音声信号を変換することで得られた通信用信号を、請求項１に記載の処理装置から受信する受信ステップと、
前記受信された通信用信号を逆変換することで、前記デジタル情報が重畳された音声信号を得る逆変換ステップと、
前記音声信号に基づき音声出力を行うとともに、前記デジタル情報が重畳された音声信号に対し音響すかし技術に基づくデコード処理を行うことで前記音声信号から前記デジタル情報を分離する音声出力・分離ステップと、
前記分離されたデジタル情報を外部へ出力する情報出力ステップと、
を備え、
前記情報出力ステップでは、前記デコード処理により分離されたデジタル情報が、直近に出力したデジタル情報と異なる場合に、前記デコード処理により分離されたデジタル情報を出力する処理制御方法。
【発明の詳細な説明】
【技術分野】
【０００１】
本発明は、音声と情報を同時に送信又は受信する処理装置および処理制御方法に関する。
【背景技術】
【０００２】
携帯電話を利用して通話をしている最中に、あるWebサイトのURLを通話の相手に伝えるには、声でURLを伝え、相手は、伝えられたURLを紙にメモを取るなどの対応をしなければならない。また、通話の相手にテキストメッセージを送るには、携帯電話でメールを起動し、メールによって当該テキストメッセージを送信するなどの対応をしなければならない。
【非特許文献１】「マルチアクセス・マルチタスク」に関する外部参照可能なホームページ（http://www.nttdocomo.co.jp/service/func_tool/multi/）
【発明の開示】
【発明が解決しようとする課題】
【０００３】
上記のように従来の携帯電話では、通話中に相手にURLやテキストメッセージ等のデジタル情報を送信することは、後述の携帯電話の機能上の問題および操作上の問題から一般に困難であった。
【０００４】
機能上の問題は、旧来の携帯電話がシングルタスクしか許容しなかったことである。つまり、通話中はデジタル通信を実行できず、メールやブラウザといった他のアプリケーションの起動および操作を実行できないといった問題である。この問題については、既に「マルチアクセス」、「マルチタスク」（非特許文献１参照）に関するサービスにより、通話中のデジタル通信および一部のアプリケーションの起動を可能にしている。
【０００５】
しかしながら、相手の電話番号しか知らない場合には、デジタル通信を行うにあたり、一部の例外を除き、デジタル通信のための識別子（電子メールアドレス等）を相手に通知する必要がある。ここでの一部の例外とは、ショートメッセージサービス（ＳＭＳ）であり、当該サービスでは電話番号をIDとして用いたデジタル通信が可能であるが、日本国内においては、同じ通信会社の携帯電話間でしか通信が出来ないことおよび送受信可能な情報量が非常に小さい（例えば140オクテット）という問題がある。
【０００６】
一方、操作上の問題は、携帯電話がマルチタスクに対応している場合であっても通話中に他のアプリケーションの操作が煩雑となる問題である。通話中は多くの場合、携帯電話に具備されたスピーカに片方の耳を当てて音声を聞き取るため、スピーカに片方の耳を当てた状態で複雑なキー操作を同時に行うことは、実際上困難である。
【０００７】
上記２点の問題により、例えば、メールアドレスを知らない通話の相手に対し、通話中にテキストメッセージを送りたい場合は、相手のメールアドレスを音声で聞いてメモを取った上で、通話を切ってメールを立ち上げ、相手のメールアドレスおよびテキストメッセージを入力して送信するといった一連の煩雑な処理を行う必要があった。
【０００８】
本発明は、上記の問題に対処すべく、機能的な制約を課すことなく、簡単な操作で、通話中に相手にデジタル情報を送信可能とする処理装置および処理制御方法を提供することを目的とする。
【課題を解決するための手段】
【０００９】
本発明に係る処理装置は、外部から音声を入力するための音声入力部と、外部から情報を入力するための入力インターフェースを含み、上記入力インターフェースから入力された情報をデジタル情報に変換するデジタル情報入力部と、上記デジタル情報入力部により変換されたデジタル情報に対し、音響すかし技術に基づくエンコード処理を行い、上記エンコード処理後のデジタル情報を、上記音声入力部から入力された音声の音声信号に重畳するエンコーダと、上記エンコーダにより上記デジタル情報が重畳された音声信号を、通信用信号へ変換する音声コーデック部と、上記音声コーデック部により変換された通信用信号を外部へ送信する通信部と、を備え、上記エンコーダは、新たな情報が入力されていない場合、直前に重畳したデジタル情報を重畳することを特徴とする。
【００１０】
本発明に係る処理制御方法は、処理装置により実行される、音声と情報を同時に送信するための処理制御方法であって、外部から音声を入力するとともに外部から情報を入力し、入力された情報をデジタル情報に変換する入力・変換ステップと、上記変換されたデジタル情報に対し、音響すかし技術に基づくエンコード処理を行い、上記エンコード処理後のデジタル情報を前記入力された音声の音声信号に重畳する重畳ステップと、上記デジタル情報が重畳された音声信号を通信用信号へ変換するコーデック変換ステップと、上記変換された通信用信号を外部へ送信する送信ステップと、を備え、上記重畳ステップでは、新たな情報が入力されていない場合、直前に重畳したデジタル情報を重畳することを特徴とする。
【００１１】
以上のような処理装置、処理制御方法によれば、入力情報から変換したデジタル情報を音声信号に重畳して、外部へ送信可能となるので、機能的な制約を課すことなく、簡単な操作で、通話中に相手にデジタル情報を送信することができる。
【００１２】
一方、通話の相手側における音声出力およびデジタル情報出力に係る構成は、以下のように記述することができる。
【００１３】
本発明に係る処理装置は、デジタル情報が重畳された音声信号を変換することで得られた通信用信号を、請求項１に記載の処理装置から受信する通信部と、上記通信部により受信された通信用信号を逆変換することで、前記デジタル情報が重畳された音声信号を得る音声コーデック部と、上記音声コーデック部により得られた、上記デジタル情報が重畳された音声信号に対し、音響すかし技術に基づくデコード処理を行うことで、上記音声信号から上記デジタル情報を分離するデコーダと、上記デコーダにより分離されたデジタル情報を外部へ出力するデジタル情報出力部と、上記音声コーデック部により得られた前記音声信号に基づき音声出力を行う音声出力部と、を備え、上記デジタル情報出力部は、上記デコーダにより分離されたデジタル情報が、直近に出力したデジタル情報と異なる場合に、上記デコーダにより分離されたデジタル情報を出力することを特徴とする。
【００１４】
本発明に係る処理制御方法は、処理装置により実行される、デジタル情報が重畳された音声信号から前記デジタル情報および前記音声信号を出力するための処理制御方法であって、上記デジタル情報が重畳された音声信号を変換することで得られた通信用信号を、請求項１に記載の処理装置から受信する受信ステップと、上記受信された通信用信号を逆変換することで、上記デジタル情報が重畳された音声信号を得る逆変換ステップと、上記音声信号に基づき音声出力を行うとともに、上記デジタル情報が重畳された音声信号に対し音響すかし技術に基づくデコード処理を行うことで上記音声信号から上記デジタル情報を分離する音声出力・分離ステップと、上記分離されたデジタル情報を外部へ出力する情報出力ステップと、を備え、上記情報出力ステップでは、上記デコード処理により分離されたデジタル情報が、直近に出力したデジタル情報と異なる場合に、上記デコード処理により分離されたデジタル情報を出力することを特徴とする。
【００１５】
以上のような処理装置、処理制御方法によれば、デジタル情報が重畳された音声信号から上記デジタル情報を分離し、分離されたデジタル情報および音声信号を出力することができる。即ち、受信側でデジタル情報および音声信号を適正に再生することができる。
【００１６】
なお、上記の「音響すかし技術」としては、音響ＯＦＤＭを用いることが好適である。
【発明の効果】
【００１７】
本発明によれば、機能的な制約を課すことなく、簡単な操作で、通話中に相手にデジタル情報を送信することができる。即ち、音声通話回線を利用してデジタル情報を送ることが可能となることから、通話の相手との間で、音声だけでなくデジタル情報（例えばテキストメッセージなど）を送受信できる。これにより、テキストメッセージ中のURLやメールアドレスによって、当該URLのWebページを参照すること、および当該メールアドレスあてに電子メールを送信することが可能となる。
【発明を実施するための最良の形態】
【００１８】
以下、図面を参照しながら、本発明に係る処理装置および処理制御方法の一実施形態を説明する。以下では、まず、本発明に係る処理装置としての音響OFDM処理装置の構成および実行される処理動作について説明し、その後、本発明の応用例として、通話中に役所の申請資料に入力する事例について説明する。
【００１９】
［音響OFDM処理装置の構成］
図１には、音響OFDM処理装置１の構成図を示す。音響OFDM処理装置１は、デジタル情報を重畳した音声の送信処理に係る構成と、通話の相手側における受信処理（音声出力およびデジタル情報出力）に係る構成の両方を備え、デジタル情報および音声の送信側として動作することも、デジタル情報および音声の受信側として動作することもできる。
【００２０】
図１に示すように、音響OFDM処理装置１は、通信部１０（本発明に係る通信部に相当）、音声コーデック部１１（本発明に係る音声コーデック部に相当）、音響OFDMエンコーダ１２（本発明に係るエンコーダに相当）、音響OFDMデコーダ１３（本発明に係るデコーダに相当）、テキスト変換部１４、マイク１５（本発明に係る音声入力部に相当）、キーボード１６、ディスプレイ１７、およびスピーカ１８（本発明に係る音声出力部に相当）を含んで構成される。なお、テキスト変換部１４とキーボード１６は、一体となって、本発明に係るデジタル情報入力部の動作を実行する。また、テキスト変換部１４とディスプレイ１７は、一体となって、本発明に係るデジタル情報出力部の動作を実行する。
【００２１】
このうち、通信部１０は、音声コーデック部１１により変換された通信用信号を無線信号へ変調して外部へ送信する機能と、デジタル情報（本実施形態では一例として、テキスト情報）と音声信号とが重畳された無線信号を外部から受信し復調する機能とを有する。
【００２２】
音声コーデック部１１は、送信処理時に、テキスト情報が重畳された音声信号を電話回線上で適切な形に変換する（音声コーデックにより変換する）機能と、受信処理時に、音声コーデックにより変換された音声信号を、スピーカ１８から再生可能な音声信号へ逆変換する機能を有する。
【００２３】
音響OFDMエンコーダ１２は、キーボード１６から入力されテキスト変換部１４により変換されたテキスト情報に対し、音響すかし技術（本実施形態では一例として音響OFDM）に基づくエンコード処理を行い、エンコード処理後のテキスト情報を、マイク１５から入力された音声の音声信号に重畳する機能を有する。
【００２４】
音響OFDMデコーダ１３は、テキスト情報が重畳された音声信号に対し、音響すかし技術（本実施形態では一例として音響OFDM）に基づくデコード処理を行うことで、音声信号からテキスト情報を分離する機能を有する。
【００２５】
テキスト変換部１４は、入力インターフェースとしてのキーボード１６から入力された情報をテキスト情報に変換して音響OFDMエンコーダ１２へ出力する機能と、音響OFDMデコーダ１３から出力されたテキスト情報をディスプレイ１７へ転送する機能とを有する。
【００２６】
マイク１５は、外部から音声を入力するための構成であり、入力された音声を音声信号へ変換し、音響OFDMエンコーダ１２へ出力する機能を有する。
【００２７】
キーボード１６は、外部から情報を入力するための入力インターフェースである。本実施形態では、キーボード１６から入力された情報は、上記のテキスト変換部１４によりテキスト情報に変換される。
【００２８】
ディスプレイ１７は、テキスト変換部１４から転送されたテキスト情報を表示する機能を有する。
【００２９】
スピーカ１８は、音声コーデック部１１から出力された音声信号を再生する機能を有する。
【００３０】
［デジタル情報を重畳した音声の送信処理について］
次に、音響OFDM処理装置１において実行される送信処理について説明する。図２には、音響OFDM処理装置１における送信処理時の動作ブロック図を示し、図３には、送信処理フロー図を示す。なお、以下で説明する送信処理の実行時には、音響OFDM処理装置１において、マイク１５には音声が継続的に入力されているものとする。
【００３１】
まず、送信者により情報がキーボード１６から入力されると、該情報はキーボード１６からテキスト変換部１４へ転送される（図３のＳ１）。
【００３２】
テキスト変換部１４は、キーボード１６から入力された情報をテキスト情報に変換して音響OFDMエンコーダ１２へ出力する（Ｓ２）。
【００３３】
一方、図３のＳ１、Ｓ２と並行して、マイク１５には音声が継続的に入力されている（Ｓ３）。なお、図３のＳ１〜Ｓ３は、本発明に係る入力・変換ステップに相当する。
【００３４】
音響OFDMエンコーダ１２は、テキスト変換部１４からのテキスト情報に対し、音響OFDMに基づくエンコード処理を行い（Ｓ４）、エンコード処理後のテキスト情報を、マイク１５からの音声信号に重畳する（Ｓ５）。なお、図３のＳ４〜Ｓ５は、本発明に係る重畳ステップに相当する。テキスト情報が重畳された音声信号は、音声コーデック部１１へ転送される。ところで、音声OFDMエンコーダ１２は、次のテキスト情報が入力されるまで同一のテキスト情報を音声信号に対して重畳する。
【００３５】
音声コーデック部１１は、テキスト情報が重畳された音声信号に対し、音声コーデックを用いて通信用信号（即ち、電話回線を通過できる信号）へ変換し、通信部１０へ転送する（Ｓ６）。このＳ６は、本発明に係るコーデック変換ステップに相当する。
【００３６】
そして、通信部１０は、音声コーデック部１１からの、テキスト情報が重畳された音声信号を無線信号へ変調して外部へ送信する（Ｓ７）。このＳ７は、本発明に係る送信ステップに相当する。
【００３７】
［通話の相手側における受信処理について］
次に、音響OFDM処理装置１において実行される受信処理について説明する。図４には、音響OFDM処理装置１における受信処理時の動作ブロック図を示し、図５には、受信処理フロー図を示す。
【００３８】
まず、通信部１０は、外部から無線信号（ここでは、テキスト情報（送信側で音声コーデック変換されたテキスト情報）が重畳された音声信号を変調した無線信号）を受信し、該無線信号を、上記テキスト情報が重畳された音声信号へ復調して、音声コーデック部１１へ転送する（図５のＳ１１）。このＳ１１は、本発明に係る受信ステップに相当する。
【００３９】
次に、音声コーデック部１１は、上記テキスト情報（送信側で音声コーデック変換されたテキスト情報）が重畳された音声信号を、スピーカ１８から再生可能な音声信号（即ち、音声コーデック復号されたテキスト情報が重畳された音声信号）へ逆変換する（Ｓ１２）。逆変換後の音声信号は、スピーカ１８と音声OFDMデコーダ１３へ転送される。なお、Ｓ１２は、本発明に係る逆変換ステップに相当する。
【００４０】
スピーカ１８では、転送されてきた音声信号（即ち、音声コーデック復号されたテキスト情報が重畳された音声信号）が、音声として再生出力される（Ｓ１３）。
【００４１】
一方、上記のＳ１３と並行して、音響OFDMデコーダ１３は、テキスト情報が重畳された音声信号に対し音響OFDMのデコード処理を行うことで、上記音声信号からテキスト情報を分離し、該テキスト情報をテキスト変換部１４へ転送する（Ｓ１４）。上記Ｓ１３、Ｓ１４は、本発明に係る音声出力・分離ステップに相当する。
【００４２】
テキスト変換部１４は、入力されてきたテキスト情報と、一つ前にデコードしたテキスト情報とを比較し、同一の場合は受信処理を終了し、異なる場合には、上記入力されてきたテキスト情報をディスプレイ１７へ転送する（Ｓ１５）。そして、ディスプレイ１７は、テキスト情報を受信すると、適切な形式にて表示する（Ｓ１６）。画面表示が完了すると、受信処理は終了する。なお、上記Ｓ１５、Ｓ１６は、本発明に係る情報出力ステップに相当する。ただし、Ｓ１５の比較処理を実行することは必須ではなく、テキスト変換部１４は、比較処理を行うことなく、入力されてきたテキスト情報をディスプレイ１７へ転送してもよい。
【００４３】
以上説明した本実施形態によれば、機能的な制約を課すことなく、簡単な操作で、通話中に相手にデジタル情報を送信することができる。即ち、音声通話回線を利用してデジタル情報を送ることが可能となることから、通話の相手との間で、音声だけでなくデジタル情報（例えばテキストメッセージなど）を送受信できる。これにより、テキストメッセージ中のURLやメールアドレスによって、当該URLのWebページを参照すること、および当該メールアドレスあてに電子メールを送信することが可能となる。
【００４４】
［本発明の応用例（通話中に役所の申請資料に入力する事例）］
以下、本発明の応用例として、通話中に役所の申請資料に入力する事例について説明する。
【００４５】
図６には応用例に係る構成図を示し、図７には応用例に係る処理シーケンスを示す。図６に示すように、役所に設けられた音響OFDM処理装置１Ａと、ユーザの音響OFDM処理装置１Ｂとの間で処理が実行される。このうち、役所のオペレータが使用する音響OFDM処理装置１Ａは、パーソナルコンピュータを想定しており、この音響OFDM処理装置１Ａには、公衆通信網３に接続するための電話通信機能を持つ電話装置２が接続されている。なお、音響OFDM処理装置１Ａが電話通信機能を有してもよく、その場合には電話装置２は不要である。一方、ユーザの音響OFDM処理装置１Ｂは、携帯電話を想定しており、公衆通信網３に接続するための電話通信機能を備えている。
【００４６】
次に、図７を用いて、応用例の処理シーケンスを説明する。最初に、役所の職員であるオペレータは、ユーザからの音声電話を受け付け、申請処理を開始する（図７のS21、S22）。オペレータは、音響OFDM処理装置１Ａのキーボード１６（図１参照）を操作し、デジタル通信に必要な自身のオペレータ識別子（電子メールアドレス等、ＵＲＬ等）を入力すると共に、オペレータ識別子を送信した旨をユーザに対し音声により伝える（S23、S24）。
【００４７】
入力されたオペレータ識別子は、音響OFDM処理装置１Ａのテキスト変換部１４によりテキスト情報（以下「オペレータ識別子情報」という）に変換され、音響OFDMエンコーダ１２に転送される。一方、オペレータの音声はマイク１５を通じて音響OFDM処理装置１Ａに入力され、その音声信号は、音響OFDMエンコーダ１２へ転送される。
【００４８】
音響OFDM処理装置１Ａの音響OFDMエンコーダ１２は、テキスト変換部１４より入力されたオペレータ識別子情報に対し、音響OFDMに基づくエンコード処理を行い、エンコード処理後のオペレータ識別子情報を、マイク１５から入力された音声の音声信号に重畳する。そして、重畳された音声信号は、音響OFDM処理装置１Ａから電話装置２へ出力され、電話装置２から公衆通信網３経由で、ユーザの音響OFDM処理装置１Ｂへ送信される（S25）。
【００４９】
音響OFDM処理装置１Ｂでは、重畳された音声信号を受信すると、音声コーデック復号処理をした後、オペレータ識別子情報の重畳された音声信号を取り出し、該音声信号（オペレータの説明に関する音声信号）をスピーカ１８へ転送する。これにより、ユーザは、音声によるオペレータの説明を聞くことができる（S26）。また、同時に、音響OFDM処理装置１Ｂは、音響OFDMデコーダ１３によりオペレータ識別子を再現し、再現されたオペレータ識別子の種別に応じて、ブラウザまたはメールアプリケーションが自動で起動する（S27）。
【００５０】
このとき、ブラウザが起動した場合には、オペレータ識別子を含むコンテンツが表示され、当該コンテンツ中のオペレータ識別子の表示を選択することにより、メールアプリケーションが起動する仕組みとすることも可能である。
【００５１】
また、メールアプリケーションが起動した場合には、自動的にユーザ識別子（一例として電子メールアドレス）がアプリケーションに入力される（S28）。なお、ユーザ自身が電子メールアドレスを入力してもよい。
【００５２】
音響OFDM処理装置１Ｂは、アプリケーションを通じてユーザ識別子情報を受信するとともに、マイク１５を通じてユーザの音声を受信する（S29）。受信されたユーザ識別子情報は、詳細な処理手順は省略するが、音響OFDMエンコーダ１２により、ユーザの音声信号に重畳される。そして、ユーザ識別子情報が重畳したユーザの音声信号は、公衆通信網３および電話装置２を介して、音響OFDM処理装置１Ａへ送信される（S30）。
【００５３】
音響OFDM処理装置１Ａは、ユーザ識別子情報が重畳したユーザの音声信号を受信した後、前述した図５の手順で、音声信号からユーザ識別子情報を分離し、ユーザ識別子をディスプレイ１７へ表示するとともにユーザの音声をスピーカ１８から出力する。これにより、オペレータは、ユーザの音声を聞き、ユーザ識別子を認識することができる（S31、S32）。
【００５４】
そして、オペレータは、ユーザ識別子で示されるアドレス宛に、申請用の情報（例えば申請用のURL）を送信するよう音響OFDM処理装置１Ａを操作するとともに、音響OFDM処理装置１Ａのマイク１５から指示音声を入力する（S33）。そして、音響OFDM処理装置１Ａは、申請用の情報をオペレータの指示音声に重畳させて、ユーザの音響OFDM処理装置１Ｂへ送信する（S34）。
【００５５】
音響OFDM処理装置１Ｂは、申請用の情報が重畳したオペレータの音声信号を受信した後、前述した図５の手順で、音声信号から申請用の情報を分離し、申請用の情報をディスプレイ１７へ表示するとともにオペレータの指示音声をスピーカ１８から出力する。これにより、ユーザは、オペレータの指示音声を聞き、申請用の情報（例えば申請用のURL）を認識することができる（S35）。
【００５６】
ここで、ユーザは、必要な申請事項を入力する（S36）。例えば、ユーザは、ディスプレイ１７に表示された申請用のURLをクリックすることで申請用のＷＥＢサイトへアクセスし、当該ＷＥＢサイトから、キーボード１６を用いて必要な申請事項を入力することができる。このとき同時に、ユーザは、マイク１５を通じて、応答の音声を入力することができる（S37）。
【００５７】
音響OFDM処理装置１Ｂは、前述した図３の手順で、入力された上記の申請事項情報をユーザの音声信号に重畳させて、音響OFDM処理装置１Ａへ送信する（S38）。
【００５８】
音響OFDM処理装置１Ａは、申請事項情報が重畳したユーザの音声信号を受信した後、前述した図５の手順で、音声信号から申請事項情報を分離し、申請事項をディスプレイ１７へ表示するとともにユーザの音声をスピーカ１８から出力する。これにより、オペレータは、ユーザの音声を聞き、申請事項を確認することができる（S39、S40）。そして、オペレータは、申請事項を確認し、申請内容に不備がなければ、申請事項に問題なく申請が正常に完了した旨を音声でユーザに伝え、所定の終了処理を行って、図７の申請処理を終了させる。
【００５９】
なお、申請事項が複雑な場合、または、ユーザがS36の申請事項の入力方法を理解できない場合には、S36では、ユーザが申請事項を入力する代わりに、オペレータが、ユーザから申請事項を音声で聞いて入力してもよい。
【００６０】
また、ユーザによる申請事項に不備がある場合は、S33以降と同様の手順を行うことで、申請事項の追加・修正を行うことができる。
【００６１】
以上説明した応用例では、以下のようなさまざまな効果を奏する。
【００６２】
電話装置に接続されたＰＣと、携帯電話との間の新たなコミュニケーション系アプリケーションとして利用できる。コールセンタービジネスに応用すれば、コールセンターに電話している最中に、オペレータがＰＣから携帯電話へテキストメッセージを送ることができる。また、ブラウザを利用してオペレータは、電話をかけてきたユーザに対しWebページを見せることにより、音声だけでなく視覚情報を利用して説明を行うことができる。例えば、ユーザが番号案内オペレータへ電話をかけて所望の相手の電話番号情報を取得する際に、ユーザは、口頭で教えてもらうと共に、番号案内オペレータから送信された相手の電話番号情報を携帯電話の画面上に表示させることができ、このため、ユーザにとってはメモを取る手間が省けるという利点がある。
【００６３】
また、役所の申請資料などネットワークからユーザに入力してもらう必要がある手続きを携帯電話で行う場合、ユーザの代理人がユーザに代わって申請情報を入力し、その後、入力された申請情報をユーザが携帯電話の画面にて確認し最終承認のための簡単な操作（例えば確認画面でのＯＫボタンのクリックなど）を携帯電話から行う、といった処理態様を採用することもできる。
【図面の簡単な説明】
【００６４】
【図１】発明の実施形態に係る音響OFDM処理装置の構成図である。
【図２】音響OFDM処理装置における送信処理時の動作ブロック図である。
【図３】送信処理のフロー図である。
【図４】音響OFDM処理装置における受信処理時の動作ブロック図である。
【図５】受信処理のフロー図である。
【図６】発明の実施形態の応用例に係る構成図である。
【図７】発明の実施形態の応用例に係る処理シーケンス図である。
【符号の説明】
【００６５】
１、１Ａ、１Ｂ…音響OFDM処理装置、２…電話装置、３…公衆通信網、１０…通信部、１１…音声コーデック部、１２…音響OFDMエンコーダ、１３…音響OFDMデコーダ、１４…テキスト変換部、１５…マイク、１６…キーボード、１７…ディスプレイ、１８…スピーカ。
【図１】
0005440828.tif 000002
【図２】
0005440828.tif 000003
【図３】
0005440828.tif 000004
【図４】
0005440828.tif 000005
【図５】
0005440828.tif 000006
【図６】
0005440828.tif 000007
【図７】
0005440828.tif 000008